(57)【要約】【課題】  エアゾール容器を用いて持続性を確保できるとともに、効力を劣化させることのないエアゾール容器の小分け噴射装置を提供すること。【解決手段】  エアゾール容器１０のステム１１に嵌合されるアクチュエータ本体２１の噴射口２３から内部に噴射される内容物を噴射規制部材２５に当てることで小分け室２４外への噴射を規制して小分け室２４内に内容物を貯めるようにする。  これにより、内容物を液状のまま小分けした状態とし、ミスト状の場合に比べ持続効果を高めるとともに、小分けすることを繰り返すことで効力の劣化を防止するようにしている。【選択図】  図１
2006102623.tif 000002
【特許請求の範囲】
【請求項１】
エアゾール容器のステムに嵌合されステムを介して内容物を噴射する噴射口を備えるとともに、この噴射口の外側を囲んで小分けされた内容物を貯める小分け室を備え、かつ噴射操作がなされるアクチュエータ本体と、
このアクチュエータ本体の前記噴射口と対向して設けられ噴射される内容物の小分け室外への噴射を規制する噴射規制部材とで構成されてなることを特徴とするエアゾール容器の小分け噴射装置。
【請求項２】
前記アクチュエータ本体に、前記小分け室の天井部を覆って蒸散孔が形成された天板部材を備えたことを特徴とする請求項１記載のエアゾール容器の小分け噴射装置。
【請求項３】
前記エアゾール容器のマウンテンカップに支持筒部材を連結する一方、この支持筒部材に前記アクチュエータ本体の一端部を傾動操作可能に連結してなることを特徴とする請求項１または２記載のエアゾール容器の小分け噴射装置。
【請求項４】
前記噴射規制部材を、前記小分け室の天井部に設けた吸液蒸散部材で構成したことを特徴とする請求項１〜３のいずれかに記載のエアゾール容器の小分け噴射装置。
【請求項５】
前記ステムに連結されるバルブ機構を、チルト型バルブあるいはプッシュダウン型バルブとして構成したことを特徴とする請求項１〜４のいずれかに記載のエアゾール容器の小分け噴射装置。
【請求項６】
前記エアゾール容器の内容物を、芳香剤、消臭剤、忌避剤、防虫剤などの液体成分と、ＬＮＧ、ＤＭＥなどの液化ガスあるいはＣＯ2、Ｎ2などの圧縮ガスによる噴射剤成分とで構成してなることを特徴とする請求項１〜５のいずれかに記載のエアゾール容器の小分け噴射装置。
【発明の詳細な説明】
【技術分野】
【０００１】
この発明はエアゾール容器の小分け噴射装置に関し、芳香成分などを劣化させることなく長期間持続させることができるようにしたものである。
【背景技術】
【０００２】
従来から芳香剤、消臭剤、忌避剤、殺虫剤などには、種々のタイプのものが使用されており、長期間にわたる持続効果を目的としたものと即時効果を目的としたものに大別される。
【０００３】
長時間にわたる持続効果を目的とした芳香剤などでは、例えば図７に示すように、液状の芳香剤をボトル状の容器１に入れ、キャップ２に取り付けたろ紙３などを引き上げた状態にすることで、ろ紙３を介して芳香剤成分を蒸散させるようにしている。
【０００４】
また、即時効果を目的とした芳香剤などでは、芳香剤成分と噴射剤とをエアゾール容器に充填してエアゾール製品とし、ステムに取り付けた押しボタンやノズルなどのアクチュエータを操作することで芳香剤成分を噴射剤の圧力で噴射させるようにする。
【０００５】
ところが、前者のボトル状の容器のキャップを開け、ろ紙などを介して芳香剤成分などを蒸散させるものでは、使用開始から時間が経過するとともに、芳香剤としての効果が劣化するようになり、後者のエアゾール容器に充填したものでは、即時効果はあるものの、持続効果を得ることができない。
【０００６】
そこで、エアゾール容器を用いながら持続効果を得ることができるようにしたものが提案されており、例えば特許文献１には、図８に示すように、エアゾール容器４のステム５に、噴射された芳香成分を吸着し通気性のある材料のドーム状の芳香ヘッド６を取り付けることで、芳香ヘッド６の空間部分に内容物を噴射させて内面に吸着させ、吸着した芳香成分を徐々に蒸散させるようにしている。
【０００７】
また、特許文献２には、図９に示すように、エアゾール容器４のステム５に空洞型の貯留室７を取り付け、貯留室７に形成した揮散用出口８を形成することで、ステム５から噴射される芳香材成分の一部を直接外部に噴射するとともに、貯留室７内に貯留させ、徐々に揮散させるようにしている。
【０００８】
さらに、特許文献２の即時効果と持続効果を目的としたものに類似したものが特許文献３〜５にも開示されている。
【特許文献１】特開昭６１−１４６２６７号公報
【特許文献２】特開２０００−２６２９３３号公報
【特許文献３】特開２００３−８２３３８号公報
【特許文献４】特開２００３−２３８３２１号公報
【特許文献５】特開２００４−９１４５２号公報
【発明の開示】
【発明が解決しようとする課題】
【０００９】
ところが、これらいずれのエアゾール容器の噴射装置でも芳香ヘッド６内の空間や貯留室７内に噴霧された状態で貯留できるものの、ボトル状の容器に入れた芳香剤などと比べるとその持続時間が相当短いという問題がある。
【００１０】
一方、ボトル状の容器のものでは、長時間の持続性はあるもののその効力が次第に劣化するという問題がある。
【００１１】
この発明はかかる従来技術の有する課題を解決するためになされたもので、エアゾール容器を用いて持続性を確保できるとともに、効力を劣化させることのないエアゾール容器の小分け噴射装置を提供しようとするものである。
【課題を解決するための手段】
【００１２】
上記従来技術の有する課題を解決するため、この発明の請求項１記載のエアゾール容器の小分け噴射装置は、エアゾール容器のステムに嵌合されステムを介して内容物を噴射する噴射口を備えるとともに、この噴射口の外側を囲んで小分けされた内容物を貯める小分け室を備え、かつ噴射操作がなされるアクチュエータ本体と、このアクチュエータ本体の前記噴射口と対向して設けられ噴射される内容物の小分け室外への噴射を規制する噴射規制部材とで構成されてなることを特徴とするものである。
【００１３】
このエアゾール容器の小分け噴射装置によれば、エアゾール容器のステムに嵌合されるアクチュエータ本体の噴射口から内部に噴射される内容物を噴射規制部材に当てることで小分け室外への噴射を規制して小分け室内に内容物を貯めるようにしており、内容物を液状のまま小分けした状態とし、ミスト状の場合に比べ持続効果を高めるとともに、小分けすることを繰り返すことで効力の劣化を防止するようにしている。
【００１４】
また、この発明の請求項２記載のエアゾール容器の小分け噴射装置は、請求項１記載の構成に加え、前記アクチュエータ本体に、前記小分け室の天井部を覆って蒸散孔が形成された天板部材を備えたことを特徴とするものである。
【００１５】
このエアゾール容器の小分け噴射装置によれば、アクチュエータ本体の小分け室の天井部を覆って蒸散孔が形成された天板部材を設けるようにしており、一層確実に小分けできるようになるとともに、蒸散孔で蒸散する量などを調整できるようにしている。
【００１６】
さらに、この発明の請求項３記載のエアゾール容器の小分け噴射装置は、請求項１または２記載の構成に加え、前記エアゾール容器のマウンテンカップに支持筒部材を連結する一方、この支持筒部材に前記アクチュエータ本体の一端部を傾動操作可能に連結してなることを特徴とするものである。
【００１７】
このエアゾール容器の小分け噴射装置によれば、エアゾール容器のマウンテンカップに支持筒部材を連結する一方、この支持筒部材にアクチュエータ本体の一端部を傾動操作可能に連結するようにしており、アクチュエータ本体を連結部を支点にてこ式に操作でき、小さな力で操作できるなどより操作性を向上するようにしている。
【００１８】
また、この発明の請求項４記載のエアゾール容器の小分け噴射装置は、請求項１〜３のいずれかに記載の構成に加え、前記噴射規制部材を、前記小分け室の天井部に設けた吸液蒸散部材で構成したことを特徴とするものである。
【００１９】
このエアゾール容器の小分け噴射装置によれば、小分け室の天井部に吸液蒸散部材を設けて噴射規制部材としており、この吸液蒸散部材によっても確実に小分けできるようになるとともに、蒸散する量などを調整できるようにしている。
【００２０】
さらに、この発明の請求項５記載のエアゾール容器の小分け噴射装置は、請求項１〜４のいずれかに記載の構成に加え、前記ステムに連結されるバルブ機構を、チルト型バルブあるいはプッシュダウン型バルブとして構成したことを特徴とするものである。
【００２１】
このエアゾール容器の小分け噴射装置によれば、ステムに連結されるバルブ機構が、チルト型バルブあるいはプッシュダウン型バルブのいずれであっても内容物を液状のまま小分けした状態とし、ミスト状の場合に比べ持続効果を高めるとともに、小分けすることを繰り返すことで効力の劣化を防止できるようになる。
【００２２】
また、この発明の請求項６記載のエアゾール容器の小分け噴射装置は、請求項１〜５のいずれかに記載の構成に加え、前記エアゾール容器の内容物を、芳香剤、消臭剤、忌避剤、防虫剤などの液体成分と、ＬＮＧ、ＤＭＥなどの液化ガスあるいはＣＯ2、Ｎ2などの圧縮ガスによる噴射剤成分とで構成してなることを特徴とするものである。
【００２３】
このエアゾール容器の小分け噴射装置によれば、エアゾール容器の内容物を、芳香剤、消臭剤、忌避剤、防虫剤などの液体成分と、ＬＮＧ、ＤＭＥなどの液化ガスあるいはＣＯ2、Ｎ2などの圧縮ガスによる噴射剤成分とで構成することで、内容物を液状のまま小分けした状態とし、ミスト状の場合に比べ持続効果を高めるとともに、小分けすることを繰り返すことで効力の劣化を防止できるようになる。
【発明の効果】
【００２４】
この発明の請求項１記載のエアゾール容器の小分け噴射装置によれば、エアゾール容器のステムに嵌合されるアクチュエータ本体の噴射口から内部に噴射される内容物を噴射規制部材に当てることで小分け室外への噴射を規制して小分け室内に内容物を貯めるようにしたので、内容物を液状のまま小分けした状態とし、ミスト状の場合に比べ持続時間を大幅に長くできるとともに、小分けすることを繰り返すことで効力の劣化を防止することができる。
【００２５】
また、この発明の請求項２記載のエアゾール容器の小分け噴射装置によれば、アクチュエータ本体の小分け室の天井部を覆って蒸散孔が形成された天板部材を設けるようにしたので、一層確実に小分けすることができるとともに、蒸散孔で蒸散する量などを調整することもできる。
【００２６】
さらに、この発明の請求項３記載のエアゾール容器の小分け噴射装置によれば、エアゾール容器のマウンテンカップに支持筒部材を連結する一方、この支持筒部材にアクチュエータ本体の一端部を傾動操作可能に連結したので、アクチュエータ本体を連結部を支点にてこ式に操作することができ、小さな力で操作できるなど一層操作性を向上することができる。
【００２７】
また、この発明の請求項４記載のエアゾール容器の小分け噴射装置によれば、小分け室の天井部に吸液蒸散部材を設けて噴射規制部材としたので、この吸液蒸散部材によっても確実に小分けすることができるとともに、通気性を変えることなどで蒸散する量などを調整することもできる。
【００２８】
さらに、この発明の請求項５記載のエアゾール容器の小分け噴射装置によれば、ステムに連結されるバルブ機構が、チルト型バルブあるいはプッシュダウン型バルブのいずれであっても内容物を液状のまま小分けした状態とし、ミスト状の場合に比べ持続時間を大幅に長くできるとともに、小分けすることを繰り返すことで効力の劣化を防止することができる。
【００２９】
また、この発明の請求項６記載のエアゾール容器の小分け噴射装置によれば、エアゾール容器の内容物を、芳香剤、消臭剤、忌避剤、防虫剤などの液体成分と、ＬＮＧ、ＤＭＥなどの液化ガスあるいはＣＯ2、Ｎ2などの圧縮ガスによる噴射剤成分とで構成することで、このような内容物に適用して液状のまま小分けすることができ、ミスト状の場合に比べ芳香、消臭、忌避、防虫などの効力の持続時間を大幅に長くできるとともに、小分けすることを繰り返すことで、効力の劣化を防止することができる。
【発明を実施するための最良の形態】
【００３０】
以下、この発明のエアゾール容器の小分け噴射装置の実施の形態について図面に基づき詳細に説明する。  
図１〜図４はこの発明のエアゾール容器の小分け噴射装置の一実施の形態にかかり、図１は概略平面図、図２は概略縦断面図、図３は小分け操作状態の概略縦断面図、図４は使用状態の概略縦断面図である。
【００３１】
このエアゾール容器の小分け噴射装置２０が設けられるエアゾール容器１０では、例えばバルブ機構として図示しないチルト型バルブが備えられ、ステム１１を横方向に傾けることでバルブを開閉して内容物を噴射することができるようになっている。
【００３２】
このエアゾール容器の小分け噴射装置２０では、ステム１１に嵌合連結されるアクチュエータ本体２１を備えており、上端部が開口された底付きの円筒状に形成され、底部の中央下方に突き出してステム連結部２２が形成されるとともに、エアゾール容器１０の内容物をアクチュエータ本体２１内に噴射する噴射口２３が形成してある。
【００３３】
このアクチュエータ本体２１は、底付き円筒部分が内容物を小分けして貯める小分け室２４とされ、例えば芳香剤の液体成分を貯めることができるように、噴射口２３と対向する上方に噴射規制部材として湾曲した噴射規制板２５とこれを支える４本の支柱部２６とが設けられ、エアゾール容器１０から噴射口２３を介して噴射される内容物を噴射規制板２５に当て、支柱部２６の間から側方に噴射させてアクチュエータ本体２１外に噴射せずにアクチュエータ本体２１の小分け室２４内に貯めることができるようにしてある。
【００３４】
そして、このアクチュエータ本体２１の上端開口部に天板部材としての蓋体２７が嵌合され、蓋体２７に形成した複数の蒸散孔２８から小分け室２４内に貯められた液体成分を蒸散させることができるようにしてある。
【００３５】
このようなアクチュエータ本体２１は、エアゾール容器１０のマウンテンカップ１２に嵌合連結される円筒状の支持筒部材２９の上端内周部に配置され、アクチュエータ本体２１の一端部である下端外周部と支持筒部材２９の上端内周部とが連結されてヒンジ部３０とされ、アクチュエータ本体２１のヒンジ部３０と対角位置の他端部である上端外周部に扇形状の操作部３１が側方に突き出して形成してある。
【００３６】
これにより、図３に示すように、アクチュエータ本体２１の操作部３１を押し下げることで、ヒンジ部３０を支点としててこ式に傾けることができ、エアゾール容器１０内の内容物を小分け室２４内に噴射させて貯めることができる。
【００３７】
このように構成したエアゾール容器の小分け噴射装置２０は、例えば内容物として芳香剤、消臭剤、忌避剤、防虫剤などの液体成分と、ＬＮＧ、ＤＭＥなどの液化ガスあるいはＣＯ2、Ｎ2などの圧縮ガスによる噴射剤成分とが充填されたエアゾール容器１０に装着して使用する。
【００３８】
そして、このエアゾール容器の小分け噴射装置２０の使用に際しては、図３に示すように、アクチュエータ本体２１の操作部３１を押し下げることで、ヒンジ部３０を支点としててこ式にアクチュエータ本体２１を傾け、エアゾール容器１０内の内容物をステム１１から噴射口２３を介して小分け室２４内に噴射させる。
【００３９】
すると、噴射された内容物は噴射規制板２５に当たり、支柱部２６の間から側方に噴射されてアクチュエータ本体２１外に噴射されずにアクチュエータ本体２１の小分け室２４内に貯まる。
【００４０】
そして、所定量の内容物が小分け室２４に貯まったとことで、手を離して放置して使用状態とする。
【００４１】
この使用状態では、図４に示すように、内容物が液状のまま小分け室２４内に貯められ、蓋体２７の複数の蒸散孔２８から液体成分を蒸散させる。
【００４２】
そして、小分け室２４内の内容物がなくなったら、再びアクチュエータ本体２１の操作部３１を操作して小分け室２４にエアゾール容器１０から内容物を小分けすることを繰り返す。
【００４３】
このようなエアゾール容器の小分け噴射装置２０によれば、内容物を液状のまま小分け室２４内に貯めることができるので、従来のミスト状のまま貯めたり、ミスト状のものを吸着させて貯める場合に比べ、芳香、消臭、忌避、防虫などの効力の持続時間を大幅に長くできるとともに、小分けする操作を繰り返すことで、効力の劣化を防止して使用することができる。
【００４４】
また、蓋体２７の蒸散孔２８の個数や大きさを変えることで、内容物の蒸散量や蒸散時間を調整することができる。
【００４５】
次に、この発明の他の一実施の形態について、図５により説明するが、すでに説明した上記実施の形態と同一部分ついては、同一記号を記し説明を省略する。
【００４６】
このエアゾール容器の小分け噴射装置２０Ａでは、アクチュエータ本体２１の噴射口２３から小分け室２４に噴射される内容物を外部に噴射させないようにする噴射規制部材が異なる構成とされ、噴射規制板２５および支柱部２６に代えて小分け室２４の天井部を塞ぐ蓋体２７の内側に吸液蒸散部材３２が設けてある。
【００４７】
この吸液蒸散部材３２は、エアゾール容器１０の内容物が噴射された場合に、これを当てて直接外部に噴射させず、しかも通気性を有して芳香剤などの有効成分を蒸散させることができるもので、例えばフェルト類、スポンジ類、紙類などが用いられる。  
なお、他の構成は、すでに説明したものと同一となっている。
【００４８】
このようなエアゾール容器の小分け噴射装置２０Ａでも、同様に、使用に際しては、アクチュエータ本体２１の操作部３１を押し下げることで、ヒンジ部３０を支点としててこ式にアクチュエータ本体２１を傾け、エアゾール容器１０内の内容物をステム１１から噴射口２３を介して小分け室２４内に噴射させると、噴射された内容物は小分け室２４の天井部の吸液蒸散部材３２に当たってアクチュエータ本体２１外に噴射されずにアクチュエータ本体２１の小分け室２４内に貯めることができる。
【００４９】
これにより、このエアゾール容器の小分け噴射装置２０Ａでも、内容物を液状のまま小分け室２４内に貯めることができるので、従来のミスト状のまま貯めたり、ミスト状のものを吸着させて貯める場合に比べ、芳香、消臭、忌避、防虫などの効力の持続時間を大幅に長くできるとともに、小分けする操作を繰り返すことで、効力の劣化を防止して使用することができる。
【００５０】
また、吸液蒸散部材３２の通気性を厚さや密度などで変えることで、内容物の蒸散量や蒸散時間を調整することができる。
【００５１】
次に、この発明のさらに他の一実施の形態について、図６により説明するが、すでに説明した上記第一の実施の形態と同一部分ついては、同一記号を記し説明を省略する。  
このエアゾール容器の小分け噴射装置２０Ｂでは、アクチュエータ本体２１をより簡単な構造としたもので、支持筒部材２９にヒンジ部３０を介して連結し、操作部３１を押し下げててこ式に操作するのに代え、これら支持筒部材２９、ヒンジ部３０および操作部３１を省略し、アクチュエータ本体２１だけで構成し、そのステム連結部２２をステム１１に嵌合することでエアゾール容器１１に支持するようにしてある。
【００５２】
したがって、アクチュエータ本体２１をステム１１のバルブ機構に応じてプッシュダウン型バルブの場合には、押し下げるようにし、また、チルト型バルブの場合には、傾けるように操作することで、ステム１１から噴射口２３を介して噴射される内容物を小分け室２４内に貯めることができる。
【００５３】
このエアゾール容器の小分け噴射装置２０Ｂによれば、構造を簡素化することができるとともに、使用材料を減らすことで安価にすることができる。
【図面の簡単な説明】
【００５４】
【図１】この発明のエアゾール容器の小分け噴射装置の一実施の形態にかかる概略平面図である。
【図２】この発明のエアゾール容器の小分け噴射装置の一実施の形態にかかる概略縦断面図である。
【図３】この発明のエアゾール容器の小分け噴射装置の一実施の形態にかかる小分け操作状態の概略縦断面図である。
【図４】この発明のエアゾール容器の小分け噴射装置の一実施の形態にかかる使用状態の概略縦断面図である。
【図５】この発明のエアゾール容器の小分け噴射装置の他の一実施の形態にかかる概略縦断面図である。
【図６】この発明のエアゾール容器の小分け噴射装置のさらに他の一実施の形態にかかる小分け操作状態の概略縦断面図である。
【図７】従来のボトル状容器の芳香剤の使用状態の概略正面図である。
【図８】従来のエアゾール容器の芳香剤の噴射装置の概略縦断面図である。
【図９】従来の他のエアゾール容器の芳香剤の噴射装置の概略斜視図である。
【符号の説明】
【００５５】
１０                  エアゾール容器
１１                  ステム
１２                  マウンテンカップ
２０、２０Ａ、２０Ｂ  エアゾール容器の小分け噴射装置
２１                  アクチュエータ本体
２２                  ステム連結部
２３                  噴射口
２４                  小分け室
２５                  噴射規制板（噴射規制部材）
２６                  支柱部（噴射規制部材）
２７                  蓋体（天板部材）
２８                  蒸散孔
２９                  支持筒部材
３０                  ヒンジ部
３１                  操作部
３２                  吸液蒸散部材
【図１】
2006102623.tif 000003
【図２】
2006102623.tif 000004
【図３】
2006102623.tif 000005
【図４】
2006102623.tif 000006
【図５】
2006102623.tif 000007
【図６】
2006102623.tif 000008
【図７】
2006102623.tif 000009
【図８】
2006102623.tif 000010
【図９】
2006102623.tif 000011